(57)【要約】【課題】小組データを構成する素材が更新された際に、効率的に小組データの更新を行ない、閲覧可能な小組データを常に最新な状態に保つことが可能な小組データ作成システムおよび小組データ更新方法を提供する。【解決手段】端末装置３０から素材データの更新指示を行うと、処理サーバ１０はデータベース２０内の素材データの更新処理を行うと共に、更新情報に商品番号を記録する。小組作成判定手段１１は定期的に更新情報を監視し、更新情報に記録された商品番号に対応する小組データを新たに作成する処理を行い、その商品番号に対応付けられていた元の小組データを削除する。【選択図】  図１
2004362503.tif 000002
【特許請求の範囲】
【請求項１】
画像、図形、テキスト等の素材を所定の位置にレイアウトした小組データを作成するシステムであって、
素材データ、小組データ、更新情報を記録したデータベースと、
前記更新情報を定期的に監視し、小組データを作成するか否かを判断する小組作成判定手段と、
前記小組作成判定手段の指示に基づいて、更新情報に記録された商品番号に対応する素材データから小組データを作成する小組データ作成処理手段と、
新たな小組データを作成した小組データと同一商品番号の小組データを削除する小組データ削除手段と、を有することを特徴とする小組データ作成システム。
【請求項２】
画像、図形、テキスト等の素材を所定の位置にレイアウトした小組データを更新する方法であって、
利用者から入力された素材データでデータベース内の素材データを更新すると共に、更新情報として記録する段階と、
前記更新情報に記録された商品番号に対応する小組データを作成する段階と、前記作成された小組データと同一商品番号の元の小組データを削除する段階と、を有することを特徴とする小組データの更新方法。
【発明の詳細な説明】
【０００１】
【産業上の利用分野】
本発明は、画像素材データ、図表素材データ、テキスト素材データ等の素材データから各素材を所定のレイアウトに配置した小組データを作成するためのシステムに関する。
【０００２】
【従来の技術】
従来より、インターネットを介して商品に関する情報を提供することが行われている。このような商品の情報を、カタログやパンフレットに見られるような、商品の写真、商品の機能・性能等を示す図表、商品の説明文が一体となった印刷イメージ、すなわち「小組み」として提供するシステムも存在している（例えば、特許文献１参照）。
【０００３】
【特許文献１】
特開２００１−１０１１８１号公報
【０００４】
【発明が解決しようとする課題】
しかしながら、上記従来の小組作成システムでは、既に作成されている小組データを構成する素材が更新された際に、小組データを効率的に作成するしくみができていなかった。そのため、利用者が最新のものではなく、古い情報を見ることになってしまっていた。
【０００５】
上記のような点に鑑み、本発明は、小組データを構成する素材が更新された際に、効率的に小組データの更新を行ない、閲覧可能な小組データを常に最新な状態に保つことが可能な小組データ作成システムおよび小組データ更新方法を提供することを課題とする。
【０００６】
【課題を解決するための手段】
上記課題を解決するため、本発明では、画像、図形、テキスト等の素材を所定の位置にレイアウトした小組データを更新する方法として、利用者から入力された素材データでデータベース内の素材データを更新すると共に、更新情報として記録する段階、前記更新情報に記録された商品番号に対応する小組データを作成する段階、前記作成された小組データと同一商品番号の元の小組データを削除する段階を実行するようにしたことを特徴とする。
本発明によれば、作業者から更新された素材データを記録する際に、更新情報を記録しておき、この更新情報に記録された商品に対応する小組データのみを定期的に更新するようにしたので、閲覧者は最新の小組データを閲覧することが可能となる。
【０００７】
【発明の実施の形態】
以下、本発明の好適な実施形態について、図面を参照して詳細に説明する。
（システム構成）
図１は本発明に係る小組データ作成システムの一実施形態を示す構成図である。図１において、１０は処理サーバ、２０はデータベース、３０は端末装置である。
【０００８】
処理サーバ１０は、本発明に係る小組データ作成システムの中心的な役割を果たすサーバコンピュータであり、小組作成判定手段１１、小組データ作成処理手段１２、小組データ削除手段１３を有している。これらの各手段は専用のソフトウェアにより実現される。
【０００９】
データベース２０は、本システムにより生じる様々な情報を記憶するものであり、ハードディスク等の大容量記憶装置により実現される。端末装置３０は、通信回線を介して処理サーバ１０とデータの送受信が可能なコンピュータ端末である。
【００１０】
（小組データの作成処理）
まず、小組データの作成について説明する。図２は小組データを新規作成する場合の処理概要を示すフローチャートである。まず、端末装置３０から処理サーバ１０にログインする（ステップＳ１）。ログイン時の利用者の認証は、ユーザＩＤおよびパスワードにより行われる。ログインが正しく行われたら、処理対象とする商品の指定を行う。本システムでは、商品の指定方法が二通りある。一つは、商品グループによる指定、もう一つは、ユーザー商品リストによる指定である。ユーザーは、まず、どちらの方法で指定するかを選択する（ステップＳ２）。商品グループを選択した場合は、商品のカテゴリー別に分かれたグループを選択することになる。一方、ユーザー商品リストを選択した場合は、当該ユーザーが管理しているユーザーリスト名一覧を表示し、その中から選択することになる。
【００１１】
続いて、トリミングサイズおよび小組パターンの選択を行う（ステップＳ３）。トリミングサイズは、素材画像のうち小組データ内に利用する部分を切り取るサイズである。また、小組パターンは、素材となる画像データ、図形データ、テキストデータ等を小組内にどのように配置するかを示すレイアウトである。トリミングサイズおよび小組パターンの選択指示が行われると、小組作成判定手段１１が、上記ステップＳ２で選択されたグループに属する商品の情報を抽出し、小組データを作成するために必要なデータ項目が全て揃っているかどうかを確認する（ステップＳ４）。必要なデータ項目が１つでも欠けている場合は、例えば、「１５０件中６０件に必須項目のデータが存在しません。９０件の処理を行います。」といった表示を行うと共に、ログファイルに、商品ＩＤとデータがない必須項目名を出力する。選択された商品について、必須項目が全て揃っている場合には、「１５０件の処理を行います。」といった表示を行う。なお、必須項目としては、「希望小売価格（テキストデータ）」「商品本体メイン画像（画像データ）」「商品本体メイン画像のトリミング情報（属性データ）」「図表のサムネイル画像（画像データ）」がある。
【００１２】
この状態で、小組データ作成の実行指示を行うと、選択されている商品の小組データの作成が行われることになる。まず、トリミング画像の作成を行う（ステップＳ５）。このトリミング画像は、上記ステップＳ３で設定したトリミングサイズで、商品の画像データをトリミングすることにより得られる。続いて、上記ステップＳ３において選択された小組パターンに、トリミング画像、図形データ、テキストデータを配置して小組データを作成する（ステップＳ６）。小組データは複数フォーマットで作成することができる。本実施形態では、ＰＤＦとＪＰＥＧの２種類で作成している。
【００１３】
続いて、作成された小組データと商品情報のリンク付けを行う（ステップＳ７）。具体的には、作成された小組データのファイル名を商品情報に記録する。
【００１４】
（小組データの更新処理）
続いて、図１に示す小組データ作成システムを用いて小組データを更新する処理について説明する。利用者は、商品情報の一部である画像データ、図形データ、テキストデータ等を随時更新することができる。具体的には、まず、ログインした後、端末装置３０から素材データの登録を行う（ステップＳ１１）。端末装置３０から素材データの登録を行う旨の指示を送ると、処理サーバ１０では、商品情報の入力画面を構成する処理を行い、端末装置３０上に商品情報の入力画面が表示される。
【００１５】
商品情報としては、商品情報の一部だけでも入力することができる。例えば、小組データが、商品の画像素材、複数のテキスト素材で構成されている場合、複数のテキスト素材のうち１つのテキスト素材のみでも入力が可能である。ここでは、テキスト素材の１つである価格を入力した場合を例にとって説明する。どの商品の情報を登録するかを特定するために、登録する情報は必ず商品番号と共に入力される。ここで、商品番号と価格が入力されると、登録・更新部は、入力された商品番号に対応する商品情報を検索し、商品情報内の価格を、入力された内容で更新する（ステップＳ１２）。さらに、更新した内容は、更新情報として追加されることになる。
【００１６】
小組作成判定手段１１は、定期的に更新情報を監視しており、更新情報内に情報が記録されているのを検出すると、記録されている商品番号に対応する小組データの更新指示を小組データ作成処理手段１２に対して指示する（ステップＳ１３）。すると、小組データ作成処理手段１は、商品情報に記録されている各素材を抽出し、ＰＤＦ、ＪＰＥＧ等のフォーマットで小組データを作成する（ステップＳ１４）。続いて、その商品番号に対応付けられていた古い小組データを削除する（ステップＳ１５）。この結果、商品番号等で商品情報を検索することにより、新しく作成された小組データの外部からの閲覧が即座に可能となる。
【００１７】
【発明の効果】
以上、説明したように本発明によれば、画像、図形、テキスト等の素材を所定の位置にレイアウトした小組データを更新する方法として、利用者から入力された素材データでデータベース内の素材データを更新すると共に、更新情報として記録する段階、前記更新情報に記録された商品番号に対応する小組データを作成する段階、前記作成された小組データと同一商品番号の元の小組データを削除する段階を実行するようにしたので、閲覧者は最新の小組データを閲覧することが可能となるという効果を奏する。
【図面の簡単な説明】
【図１】本発明に係る小組データシステムの一実施形態を示す構成図である。
【図２】小組データの新規作成処理の概要を示すフローチャートである。
【図３】小組データの更新処理の概要を示すフローチャートである。
【符号の説明】
１０・・・処理サーバ
１１・・・小組作成判定手段
１２・・・小組データ作成処理手段
１３・・・小組データ削除手段
２０・・・データベース
３０・・・端末装置
【図１】
2004362503.tif 000003
【図２】
2004362503.tif 000004
【図３】
2004362503.tif 000005